(57)【特許請求の範囲】
【請求項１】
所定の適合ＡＣアダプタの固有ノイズを含む周波数帯内において検出された、接続されたＡＣアダプタの出力信号の信号レベルを、計測して出力する所定周波数帯信号計測部と、
前記出力された信号レベルが第１の閾値よりも大きい場合は前記接続されたＡＣアダプタを適合ＡＣアダプタであると判定し、それ以外の場合は前記接続されたＡＣアダプタを不適合ＡＣアダプタであると判定する判定部と、
を備えるＡＣアダプタ判定回路。
【請求項２】
前記第１の閾値は、前記所定の適合ＡＣアダプタの固有ノイズのノイズレベルよりも小さい、請求項１記載のＡＣアダプタ判定回路。
【請求項３】
前記判定部は、前記計測した信号レベルが第１の閾値よりも大きく、且つ、第２の閾値よりも小さい場合、前記接続されたＡＣアダプタを適合ＡＣアダプタであると判定する、
請求項１または２記載のＡＣアダプタ判定回路。
【請求項４】
前記接続されたＡＣアダプタの固有ノイズのノイズレベルを計測して出力するノイズレベル計測部をさらに備え、
前記判定部は、さらに、前記計測したノイズレベルが第３の閾値より小さい場合、前記接続されたＡＣアダプタを適合ＡＣアダプタであると判定する、
請求項１乃至３のいずれか１項記載のＡＣアダプタ判定回路。
【請求項５】
前記接続されたＡＣアダプタの出力電圧を計測して出力する電圧計測部をさらに備え、
前記判定部は、さらに、前記計測した出力電圧が所定の範囲内である場合、前記接続されたＡＣアダプタを適合ＡＣアダプタであると判定する、
請求項１乃至４のいずれか１項記載のＡＣアダプタ判定回路。
【請求項６】
前記所定周波数帯信号計測部は、
前記所定の適合ＡＣアダプタの固有ノイズを含む周波数帯内の信号のみを通過させるバンドパスフィルタと、
マイナス側の基準電圧に前記第１の閾値が設定され、プラス側に前記バンドパスフィルタの出力端子が接続されたコンパレータと、
を備える、
請求項１乃至５のいずれか１項記載のＡＣアダプタ判定回路。
【請求項７】
前記所定周波数帯信号計測部は、前記コンパレータに前記第１の閾値を設定するための抵抗および定電圧ダイオードをさらに備える、請求項６記載のＡＣアダプタ判定回路。
【請求項８】
請求項１乃至７のいずれか１項記載のＡＣアダプタ判定回路と、
接続されたＡＣアダプタが適合ＡＣアダプタであると判定された場合は電圧供給を開始し、不適合ＡＣアダプタであると判定された場合は電圧供給を停止する電圧供給回路と、
を備える電子機器。
【請求項９】
接続されたＡＣアダプタが不適合ＡＣアダプタであると判定された場合はアラームを出力するアラーム出力回路をさらに備える、請求項８記載の電子機器。
【請求項１０】
所定の適合ＡＣアダプタの固有ノイズを含む周波数帯内において検出された、接続されたＡＣアダプタの出力信号の信号レベルを、計測して出力し、
前記出力された信号レベルが第１の閾値よりも大きい場合は前記接続されたＡＣアダプタを適合ＡＣアダプタであると判定し、それ以外の場合は前記接続されたＡＣアダプタを不適合ＡＣアダプタであると判定する、
ＡＣアダプタ判定方法。
【発明の詳細な説明】
【技術分野】
【０００１】
本発明は、ＡＣアダプタの適合・不適合を判定する技術に関する。特に、ＡＣアダプタを用いて電子機器に電圧供給を行う時に、接続先の電子機器に対するＡＣアダプタの適合・不適合を判定する技術に関する。
【背景技術】
【０００２】
電子機器への電力供給においては、該電子機器への適合が予め確認された指定のＡＣアダプタを使用する必要がある。一方、一般的に電子機器ごとに適合ＡＣアダプタが添付されることから、電子機器の数分だけＡＣアダプタが存在する。従って、指定された適合ＡＣアダプタ以外の別のＡＣアダプタを誤って使用してしまうことがある。不適合のＡＣアダプタが使用された場合、ＡＣアダプタの異常発熱や接続先の電子機器の誤動作等が発生する危険がある。
【０００３】
そこで、電子機器に、不適合のＡＣアダプタが接続されることを抑制する技術が、例えば、特許文献１や特許文献２に開示されている。特許文献１には、内部に逆電圧保護回路や過電圧保護回路等を備え、ユーザが不適合のＡＣアダプタを電子機器に接続して逆電圧や過電圧がかかった場合に電子機器への電圧供給を遮断するクレイドルが開示されている。特許文献２には、接続された電子機器から、接続されるべき電子機器が特徴的に有するノイズの周波数帯の出力信号が観測された場合にのみ、電力供給を行う電源装置が開示されている。
【先行技術文献】
【特許文献】
【０００４】
【特許文献１】特開２００３−００９５１１号公報
【特許文献２】特開平０９−３０８０９６号公報
【発明の概要】
【発明が解決しようとする課題】
【０００５】
ここで、不適合のＡＣアダプタが接続されることを抑制するために特許文献１の技術を適用する場合、出力電圧が同じで電流容量や許容ノイズ等が異なるＡＣアダプタが接続された場合には、不適合のＡＣアダプタを適合ＡＣアダプタであると誤判定する危険がある。出力電圧が同じで電流容量が低いＡＣアダプタが電力供給に用いられた場合、ＡＣアダプタの異常発熱等が発生する危険がある。また、出力電圧が同じで許容ノイズが低いＡＣアダプタが用いられた場合、電子機器が誤動作を起こす危険がある。
【０００６】
一方、不適合のＡＣアダプタが接続されることを抑制するために特許文献２の技術を適用する場合、接続された電子機器が接続されるべき電子機器であるか否かを高精度に判別できる一方、接続されるべき電子機器に他の回路を追加した等の場合はＡＣアダプタもそれに併せて設計変更する必要があり、利便性が低い。さらに、電子機器の動作に伴って電子機器のノイズレベル等が変化した場合は、動作中に電子機器への電力供給が停止されてしまう危険がある。
【０００７】
本発明の目的は、上記課題に鑑み、不適合のＡＣアダプタが用いられることを抑制することができると共に、電子機器の状態が変化した場合でも接続されたＡＣアダプタが適合ＡＣアダプタであるか否か的確に判定することができる、ＡＣアダプタ判定回路、電子機器およびＡＣアダプタ判定方法を提供することにある。
【課題を解決するための手段】
【０００８】
上記目的を達成するために本発明に係るＡＣアダプタ判定回路は、所定の適合ＡＣアダプタの固有ノイズを含む周波数帯内において検出された、接続されたＡＣアダプタの出力信号の信号レベルを、計測して出力する所定周波数帯信号計測部と、出力された信号レベルが第１の閾値よりも大きい場合は接続されたＡＣアダプタを適合ＡＣアダプタであると判定し、それ以外の場合は接続されたＡＣアダプタを不適合ＡＣアダプタであると判定する判定部と、を備える。
【０００９】
上記目的を達成するために本発明に係る電子機器は、上記のＡＣアダプタ判定回路と、接続されたＡＣアダプタが適合ＡＣアダプタであると判定された場合は電圧供給を開始し、不適合ＡＣアダプタであると判定された場合は電圧供給を停止する電圧供給回路と、を備える。
【００１０】
上記目的を達成するために本発明に係るＡＣアダプタ判定方法は、所定の適合ＡＣアダプタの固有ノイズを含む周波数帯内において検出された、接続されたＡＣアダプタの出力信号の信号レベルを、計測して出力し、出力された信号レベルが第１の閾値よりも大きい場合は接続されたＡＣアダプタを適合ＡＣアダプタであると判定し、それ以外の場合は接続されたＡＣアダプタを不適合ＡＣアダプタであると判定する。
【発明の効果】
【００１１】
指定された適合ＡＣアダプタの固有ノイズが含まれる周波数帯における出力信号のレベルを監視することにより、接続されたＡＣアダプタが指定された適合ＡＣアダプタであるか否かを高精度に判定することができ、電子機器に不適合のＡＣアダプタが用いられることを抑制できる。
【００１２】
また、電子機器からの出力信号ではなく、該電子機器に接続されたＡＣアダプタからの出力信号に基づいて適合ＡＣアダプタであるか否かを判定することにより、電子機器の動作状態が変化した場合や電子機器に他の回路を追加した等の場合でも、接続されたＡＣアダプタが適合ＡＣアダプタであるか否か的確に判定できる。
【図面の簡単な説明】
【００１３】
【図１】本発明の第１の実施形態に係るＡＣアダプタ判定回路１０のブロック構成図の一例である。
【図２】本発明の第２の実施形態に係る電子機器１００のブロック構成図の一例である。
【図３】本発明の第２の実施形態に係るＡＣアダプタ判定回路１１０のブロック構成図の一例である。
【図４】本発明の第２の実施形態に係る入力電圧監視回路１４０の回路構成図の一例である。
【図５】本発明の第２の実施形態に係るノイズレベル監視回路１５０の回路構成図の一例である。
【図６】本発明の第２の実施形態に係るノイズ周波数監視回路１６０の回路構成図の一例である。
【図７】本発明の第２の実施形態に係る判定回路１７０の回路構成図の一例である。
【図８】本発明のその他の実施形態に係るＡＣアダプタ判定回路１１０Ｂのブロック構成図の一例である。
【図９】本発明のその他の実施形態に係るノイズ監視回路１８０の回路構成図の一例である。
【図１０】本発明のその他の実施形態に係るバンドパスフィルタ回路の回路構成図の一例である。
【図１１】本発明のその他の実施形態に係るバンドパスフィルタ回路の他の回路構成図の一例である。
【発明を実施するための形態】
【００１４】
（第１の実施形態）
本発明の第１の実施形態に係るＡＣアダプタ判定回路について説明する。図１に、本実施形態に係るＡＣアダプタ判定回路のブロック構成図の一例を示す。図１において、ＡＣアダプタ判定回路１０は、所定周波数帯信号計測部２０および判定部３０を備える。
【００１５】
所定周波数帯信号計測部２０は、接続されたＡＣアダプタの出力信号のうち、所定の周波数帯内の出力信号を取り出し、取り出した出力信号の信号レベルを計測して判定部３０へ出力する。ここで、所定の周波数帯には、所定の適合ＡＣアダプタの固有ノイズが含まれる。
【００１６】
判定部３０は、第１の閾値を保持し、所定周波数帯信号計測部２０から信号レベルを受信した場合、受信した信号レベルと第１の閾値とを比較する。そして、受信した信号レベルが第１の閾値よりも大きい場合は、接続されたＡＣアダプタが適合ＡＣアダプタであると判定する。一方、受信した信号レベルが第１の閾値よりも小さい場合は、接続されたＡＣアダプタが適合ＡＣアダプタではない、すなわち、不適合のＡＣアダプタであると判定する。
【００１７】
本実施形態に係るＡＣアダプタ判定回路１０は、ＡＣアダプタと接続された時、接続されたＡＣアダプタの出力信号のうち、所定の適合ＡＣアダプタの固有ノイズが含まれる周波数帯内の出力信号の信号レベルを計測する。そして、計測された信号レベルが第１の閾値よりも大きい場合は、接続されたＡＣアダプタが適合ＡＣアダプタであると判定する。
【００１８】
所定の適合ＡＣアダプタの固有ノイズが含まれる周波数帯における出力信号のレベルを監視することにより、接続されたＡＣアダプタが適合ＡＣアダプタであるか否かを高精度に判定することができる。従って、ＡＣアダプタ判定回路１０は、電子機器に不適合のＡＣアダプタが用いられることを抑制することができる。
【００１９】
また、本実施形態に係るＡＣアダプタ判定回路１０は、電子機器からの出力信号ではなく、該電子機器に接続されたＡＣアダプタからの出力信号に基づいて、適合ＡＣアダプタであるか否かを判定する。従って、ＡＣアダプタ判定回路１０は、電子機器の動作状態が変化した場合や電子機器に他の回路を追加した等の場合でも、接続されたＡＣアダプタが適合ＡＣアダプタであるか否か的確に判定することができる。
【００２０】
なお、本実施形態に係るＡＣアダプタ判定回路１０は、電子機器に不適合のＡＣアダプタが用いられることを抑制するために用いられる他、例えば、添付されたＡＣアダプタの出荷検査工程等で用いることもできる。
【００２１】
さらに、本実施形態に係るＡＣアダプタ判定回路１０は、指定された適合ＡＣアダプタを紛失した等の場合、複数のＡＣアダプタの中から適用可能なＡＣアダプタを抽出するために用いることもできる。抽出されたＡＣアダプタは、所定の定数等を変更するだけで代替ＡＣアダプタとして使用できる可能性が高い。
【００２２】
（第２の実施形態）
第２の実施形態について説明する。本実施形態に係る電子機器のブロック構成図の一例を図２に示す。図２において、本実施形態に係る電子機器１００は、ＡＣアダプタ判定回路１１０と電源制御回路１２０とアラーム出力回路１３０とを備える。
【００２３】
ＡＣアダプタ判定回路１１０は、電子機器１００にＡＣアダプタ２００が接続されたことを検出し、接続されたＡＣアダプタ２００が適合ＡＣアダプタであるか否か判定する。そして、適合ＡＣアダプタであると判定した場合、電源制御回路１２０へ“１”を出力すると共にアラーム出力回路１３０へ“０”を出力する。一方、適合ＡＣアダプタではないと判定した場合、電源制御回路１２０へ“０”を出力すると共にアラーム出力回路１３０へ“１”を出力する。
【００２４】
電源制御回路１２０は、ＡＣアダプタ判定回路１１０から“１”が入力された場合、電子機器１００の後位回路への電圧供給を開始する。ここで、電源制御回路１２０は、ＡＣアダプタ２００を介して電源から取得した電圧を、後位回路へ供給する。一方、ＡＣアダプタ判定回路１１０から“０”が入力された場合、後位回路への電圧供給を行わない。
【００２５】
アラーム出力回路１３０は、ＡＣアダプタ判定回路１１０から“１”が入力された場合にアラームを出力する。本実施形態では、アラーム出力回路１３０は、アラームの出力としてＬＥＤを点灯する。なお、アラームの出力としてアラーム音を発生したり、振動を起こしたりすることもできる。また、アラーム出力回路１３０は、電子機器１００の用途等に応じて省略することもできる。
【００２６】
ＡＣアダプタ判定回路１１０についてさらに説明する。本実施形態に係るＡＣアダプタ判定回路１１０のブロック構成図の一例を図３に示す。図３において、ＡＣアダプタ判定回路１１０は、入力電圧監視回路１４０、ノイズレベル監視回路１５０、ノイズ周波数監視回路１６０および判定回路１７０を備える。
【００２７】
入力電圧監視回路１４０は、ＡＣアダプタ２００のＤＣ入力と接続され、ＡＣアダプタ２００の出力電圧レベルを監視する。そして、入力電圧監視回路１４０は、ＡＣアダプタ２００の出力電圧レベルがあらかじめ設定された範囲内であればＨｉｇｈの出力信号を、範囲外であればＬｏｗの出力信号を、出力する。
【００２８】
ノイズレベル監視回路１５０は、ＡＣアダプタ２００のＤＣ入力と電子機器１００のＳＧ（Signal Ground：基準電位）との間で発生するノイズ（ＡＣアダプタ２００の固有ノイズ）のノイズレベルを監視する。そして、ノイズレベル監視回路１５０は、ＡＣアダプタ２００の固有ノイズのノイズレベルが、評価等により予め測定して決定された閾値Ｘ１以下であればＨｉｇｈの出力信号を、閾値Ｘ１より大きい場合はＬｏｗの出力信号を、出力する。なお、評価等により予め測定して決定された閾値Ｘ１が、請求項の第３の閾値に該当する。
【００２９】
ノイズ周波数監視回路１６０は、指定された適合ＡＣアダプタの固有ノイズを含む周波数帯の信号の信号レベルを監視する。そして、ノイズ周波数監視回路１６０は、該周波数帯内で検出された信号の信号レベルが評価等により予め測定して決定された閾値Ｘ２より大きい場合にＨｉｇｈの出力信号を、閾値Ｘ２以下の場合はＬｏｗの出力信号を、出力する。なお、閾値Ｘ２は指定された適合ＡＣアダプタの固有ノイズのノイズレベルよりも小さな値であり、請求項の第１の閾値に該当する。
【００３０】
判定回路１７０は、入力電圧監視回路１４０からの出力信号と、ノイズレベル監視回路１５０からの出力信号と、ノイズ周波数監視回路１６０からの出力信号と、が全てＨｉｇｈの場合、電源制御回路１２０へ“１”を出力すると共にアラーム出力回路１３０へ“０”を出力する。一方、いずれかの出力信号がＬｏｗの場合、電源制御回路１２０へ“０”を出力すると共にアラーム出力回路１３０へ“１”を出力する。
【００３１】
なお、指定された適合ＡＣアダプタの固有ノイズの周波数が特徴的である場合は、入力電圧監視回路１４０および／またはノイズレベル監視回路１５０を省略することもできる。
【００３２】
次に、ＡＣアダプタ判定回路１１０の各回路の回路構成について説明する。
【００３３】
図４に、入力電圧監視回路１４０の回路構成の一例を示す。図４に示した入力電圧監視回路１４０は、コンパレータ１４１、コンパレータ１４２、ＡＮＤ回路１４３、抵抗および定電圧ダイオードから成る。
【００３４】
コンパレータ１４１のマイナス側基準電圧には、指定された適合ＡＣアダプタの許容最低電圧値が設定されている。一方、コンパレータ１４１のプラス側には、ＡＣアダプタ２００のＤＣ入力が接続される。そして、コンパレータ１４１は、接続されたＡＣアダプタ２００からの出力電圧が指定された適合ＡＣアダプタの許容最低電圧値よりも高い場合、Ｈｉｇｈを出力する。
【００３５】
コンパレータ１４２のプラス側基準電圧は、適合ＡＣアダプタの許容最高電圧値が設定されている。一方、コンパレータ１４２のマイナス側には、ＡＣアダプタ２００のＤＣ入力が接続される。そして、コンパレータ１４２は、ＡＣアダプタ２００からの出力電圧が指定された適合ＡＣアダプタの許容最高電圧値以下の場合、Ｈｉｇｈを出力する。
【００３６】
ここで、コンパレータ１４１のマイナス側基準電圧およびコンパレータ１４２のプラス側基準電圧は、抵抗および定電圧ダイオードを調整することにより、それぞれ指定された適合ＡＣアダプタの許容最低電圧値と許容最高電圧値とに設定される。
【００３７】
ＡＮＤ回路１４３は、２つのコンパレータ１４１、１４２からの出力のＡＮＤを取る。すなわち、ＡＮＤ回路１４３は、２つのコンパレータ１４１、１４２からの出力が共にＨｉｇｈの場合、Ｈｉｇｈを出力し、それ以外の時はＬｏｗを出力する。
【００３８】
従って、入力電圧監視回路１４０は、接続されたＡＣアダプタ２００の出力電圧が指定された適合ＡＣアダプタの許容電圧範囲内の時にのみＨｉｇｈの出力信号を出力し、それ以外の時はＬｏｗの出力信号を出力する。
【００３９】
図５に、ノイズレベル監視回路１５０の回路構成の一例を示す。図５に示したノイズレベル監視回路１５０は、コンパレータ１５１、コンデンサ１５２、抵抗および定電圧ダイオードから成る。
【００４０】
コンパレータ１５１のプラス側基準電圧は、閾値Ｘ１が設定されている。一方、コンパレータ１５１のマイナス側は、直流成分カット用のコンデンサ１５２を介してＡＣアダプタのＤＣ入力と接続される。すなわち、コンパレータ１５１のマイナス側には、ＡＣアダプタ２００のＤＣ入力と電子機器１００のＳＧとの間で発生するノイズ（ＡＣアダプタ２００の固有ノイズ）が印加される。
【００４１】
そして、コンパレータ１５１は、ＡＣアダプタ２００の固有ノイズのノイズレベルが閾値Ｘ１以下の場合にＨｉｇｈの出力信号を出力し、閾値Ｘ１より大きい場合はＬｏｗの出力信号を出力する。ここで、コンパレータ１５１のプラス側基準電圧は、抵抗と定電圧ダイオードとを調整することにより、閾値Ｘ１に設定される。
【００４２】
図６に、ノイズ周波数監視回路１６０の回路構成の一例を示す。図６に示したノイズ周波数監視回路１６０は、バンドパスフィルタ回路１６１、コンパレータ１６２、抵抗および定電圧ダイオードから成る。
【００４３】
バンドパスフィルタ回路１６１は、指定された適合ＡＣアダプタの固有ノイズが含まれる所定の周波数帯の信号のみを通過させる。本実施形態において、バンドパスフィルタ回路１６１は、２つのコンデンサおよび抵抗で構成され、バンドパスフィルタ回路１６１の通過帯域は、該抵抗およびコンデンサを調整することにより所望の周波数範囲に設定される。
【００４４】
コンパレータ１６２のマイナス側基準電圧には、閾値Ｘ２が設定されている。閾値Ｘ２は指定された適合ＡＣアダプタの固有ノイズのノイズレベルよりも小さな値である。一方、コンパレータ１６２のプラス側にはバンドパスフィルタ回路１６１の出力端子が接続される。
【００４５】
そして、コンパレータ１６２は、所定の周波数帯内で検出された信号の信号レベルが閾値Ｘ２より大きい場合にＨｉｇｈの出力信号を出力し、閾値Ｘ２以下の場合はＬｏｗの出力信号を出力する。ここで、コンパレータ１６２のマイナス側基準電圧は、抵抗と定電圧ダイオードとを調整することにより、閾値Ｘ２に設定される。
【００４６】
図７に、判定回路１７０の回路構成の一例を示す。図７に示した判定回路１７０は、ＡＮＤ回路１７１およびＮＯＴ回路１７２を備える。
【００４７】
ＡＮＤ回路１７１は、入力電圧監視回路１４０からの出力信号と、ノイズレベル監視回路１５０からの出力信号と、ノイズ周波数監視回路１６０からの出力信号と、のＡＮＤを取る。そして、３つの回路１４０、１５０、１６０からの出力が全てＨｉｇｈの場合、電源制御回路１２０へ“１”を出力する。一方、いずれか一つの出力信号がＬｏｗの場合、電源制御回路１２０へ“０”を出力する。
【００４８】
ＮＯＴ回路１７２は、ＡＮＤ回路１７１から“１”が出力された場合はアラーム出力回路１３０へ“０”を、ＡＮＤ回路１７１から“０”が出力された場合はアラーム出力回路１３０へ“１”を出力する。
【００４９】
すなわち、ＡＣアダプタ２００の出力電圧が許容電圧範囲内であり、且つ、ＡＣアダプタ２００の固有ノイズのノイズレベルが閾値Ｘ１以下であり、且つ、指定された適合ＡＣアダプタの固有ノイズを含む所定の周波数帯内で検出された信号の信号レベルが閾値Ｘ２より大きい場合、ＡＮＤ回路１７１が電源制御回路１２０へ“１”を出力し、ＮＯＴ回路１７２がアラーム出力回路１３０へ“０”を出力する。
【００５０】
以上のように、本実施形態に係るＡＣアダプタ判定機能付き電子機器１００は、ＡＣアダプタ２００のＤＣジャックと接続された時、ＡＣアダプタ判定回路１１０を用いて指定された適合ＡＣアダプタであるか否か判定する。そして、ＡＣアダプタ２００の出力電圧が許容電圧範囲内であること、ＡＣアダプタ２００の固有ノイズのノイズレベルが閾値Ｘ１以下であること、指定された適合ＡＣアダプタの固有ノイズを含む所定の周波数帯内で検出された信号の信号レベルが閾値Ｘ２より大きいこと、が確認できた場合、適合ＡＣアダプタであると判定する。そして、適合ＡＣアダプタであると判定された場合、電源制御回路１２０が電子機器１００の後位回路への電圧供給を開始する。一方、適合ＡＣアダプタではないと判定した場合、後位回路への電圧供給を行わずにアラームを発生する。従って、本実施形態に係る電子機器１００は、不適合のＡＣアダプタが用いられることを抑制することができる。
【００５１】
また、電子機器１００は、接続されたＡＣアダプタ２００の特性を用いて、該ＡＣアダプタ２００が指定された適合ＡＣアダプタであるか否か判定する。電子機器１００自体の電圧レベルや固有ノイズは判定に影響を与えないため、電子機器１００の動作状態が変化した場合や電子機器１００に他の回路を追加した等の場合でも、ＡＣアダプタ２００が適合するか否か的確に判定することができる。
【００５２】
（その他の実施形態）
その他の実施形態について説明する。第２の実施形態では、入力電圧監視回路１４０、ノイズレベル監視回路１５０、ノイズ周波数監視回路１６０および判定回路１７０を備えたＡＣアダプタ判定回路１１０について説明したが、ＡＣアダプタ判定回路１１０はこれに限定されず、他の回路構成を適用することもできる。
【００５３】
図８に、他のＡＣアダプタ判定回路のブロック構成図の一例を示す。図８において、本実施形態に係るＡＣアダプタ判定回路１１０Ｂは、入力電圧監視回路１４０Ｂ、ノイズ監視回路１８０および判定回路１７０Ｂを備える。
【００５４】
入力電圧監視回路１４０Ｂおよび判定回路１７０Ｂは第２の実施形態で説明した入力電圧監視回路１４０および判定回路１７０とほぼ同様であるため、詳細な説明は省略する。なお、判定回路１７０Ｂは、入力電圧監視回路１４０Ｂからの出力信号とノイズ監視回路１８０からの出力信号とがどちらもＨｉｇｈの時のみ、電源制御回路へ“１”を出力すると共にアラーム出力回路へ“０”を出力する。一方、いずれかの回路からＬｏｗの出力信号が出力された時は、電源制御回路へ“０”を出力すると共にアラーム出力回路へ“１”を出力する。
【００５５】
次に、ノイズ監視回路１８０について説明する。図９に、ノイズ監視回路１８０の回路構成の一例を示す。図９において、ノイズ監視回路１８０は、バンドパスフィルタ回路１８１、コンパレータ１８２、コンパレータ１８３、ＡＮＤ回路１８４、抵抗および定電圧ダイオードとから成る。
【００５６】
バンドパスフィルタ回路１８１は、指定された適合ＡＣアダプタの固有ノイズが含まれる所定の周波数帯の信号のみを通過させる。本実施形態において、バンドパスフィルタ回路１８１は、２つのコンデンサおよび抵抗で構成され、バンドパスフィルタ回路１８１の通過帯域は、該抵抗およびコンデンサを調整することにより所望の周波数範囲に設定される。
【００５７】
コンパレータ１８２のマイナス側基準電圧には、指定された適合ＡＣアダプタの固有ノイズのノイズレベルよりも小さな値である閾値Ｘ２が設定されている。一方、コンパレータ１８２のプラス側には、バンドパスフィルタ回路１８１の出力端子が接続される。そして、コンパレータ１８２は、所定の周波数帯内で検出された信号の信号レベルが閾値Ｘ２より大きい場合にＨｉｇｈの出力信号を出力し、閾値Ｘ２以下の場合はＬｏｗの出力信号を出力する。
【００５８】
コンパレータ１８３のプラス側基準電圧には、指定された適合ＡＣアダプタの固有ノイズのノイズレベルよりも大きな値である閾値Ｘ３が設定されている。一方、コンパレータ１８３のマイナス側には、バンドパスフィルタ回路１８１の出力端子が接続される。そして、コンパレータ１８３は、所定の周波数帯内で検出された信号の信号レベルが閾値Ｘ３以下の場合にＨｉｇｈの出力信号を出力し、閾値Ｘ３より大きい場合にＬｏｗの出力信号を出力する。なお、閾値Ｘ３が、請求項の第２の閾値に該当する。
【００５９】
ここで、コンパレータ１８２のマイナス側基準電圧およびコンパレータ１８３のプラス側基準電圧は、抵抗および定電圧ダイオードを調整することにより、それぞれ閾値Ｘ２と閾値Ｘ３とに設定される。
【００６０】
ＡＮＤ回路１８４は、コンパレータ１８２からの出力信号とコンパレータ１８３からの出力信号とのＡＮＤを取る。従って、ＡＮＤ回路１８４は、指定された適合ＡＣアダプタの固有ノイズが含まれる所定の周波数帯内で検出された信号の信号レベルが所定の範囲内である場合にＨｉｇｈの出力信号を出力し、所定の範囲外である場合はＬｏｗの出力信号を出力する。
【００６１】
なお、指定された適合ＡＣアダプタの固有ノイズの周波数が特徴的である場合は、入力電圧監視回路１４０Ｂを省略することもできる。一方、ＡＣアダプタの適合・不適合の判定をさらに高精度に行いたい場合には、ＡＣアダプタ判定回路１１０Ｂの判定回路１７０Ｂの前段に、第２の実施形態で説明したノイズレベル監視回路１５０を追加すると良い。
【００６２】
また、図６に示した第２の実施形態のバンドパスフィルタ回路１６１、図９に示したバンドパスフィルタ回路１８１は、いずれも２つのコンデンサと抵抗とにより構成したが、他の回路構成を適用することもできる。図１０に、抵抗Ｒ、コイルＬおよびコンデンサＣを用いて構成したバンドパスフィルタ回路の回路構成図の一例を、図１１にオペアンプを用いたバンドパスフィルタ回路の回路構成図の一例を示す。図１０および図１１に示したバンドパスフィルタ回路を用いる場合も、指定された適合ＡＣアダプタの固有ノイズのノイズ周波数帯のみを通過させることができる。
【符号の説明】
【００６３】
１０    ＡＣアダプタ判定回路
２０    所定周波数帯信号計測部
３０    判定部
１００    電子機器
１１０、１１０Ｂ    ＡＣアダプタ判定回路
１２０    電源制御回路
１３０    アラーム出力回路
１４０、１４０Ｂ    入力電圧監視回路
１５０    ノイズレベル監視回路
１６０    ノイズ周波数監視回路
１７０、１７０Ｂ    判定回路
１８０    ノイズ監視回路
２００    ＡＣアダプタ
【図１】
0005140124.tif 000002
【図２】
0005140124.tif 000003
【図３】
0005140124.tif 000004
【図４】
0005140124.tif 000005
【図５】
0005140124.tif 000006
【図６】
0005140124.tif 000007
【図７】
0005140124.tif 000008
【図８】
0005140124.tif 000009
【図９】
0005140124.tif 000010
【図１０】
0005140124.tif 000011
【図１１】
0005140124.tif 000012